(57)【要約】【課題】直管形ランプを正常な位置に容易に装着することのできるランプソケット及び照明器具を提供する。【解決手段】ランプソケット１は、直管形ランプのランプピンが、着脱可能な着脱位置から直管形ランプを回転させることで、正常装着位置に装着されるランプソケットであって、直管形ランプの着脱時に直管形ランプのランプピンが通るピン入口部３ｂを有する本体（筐体３、カバー４）と、ランプピンが正常装着位置のときにピン入口部３ｂに配置される識別部５ｅを有し、直管形ランプと共に回転するように本体に保持される回転子５と、を備える。【選択図】図５
2016143588.tif 000002
【特許請求の範囲】
【請求項１】
直管形ランプのランプピンが、着脱可能な着脱位置から前記直管形ランプを回転させることで、正常装着位置に装着されるランプソケットであって、
前記直管形ランプの着脱時に前記直管形ランプのランプピンが通るピン入口部を有する本体と、
前記ランプピンが前記正常装着位置のときに前記ピン入口部に配置される識別部を有し、前記直管形ランプと共に回転するように前記本体に保持される回転子と、
を備えることを特徴とするランプソケット。
【請求項２】
前記識別部は、前記ランプピンが前記正常装着位置以外の位置のとき、少なくとも一部が前記本体の内側に配設されることを特徴とする請求項１に記載のランプソケット。
【請求項３】
前記回転子は、前記ランプピンが前記着脱位置と前記正常装着位置との間の位置のときに前記ピン入口部に配置される第二識別部を有することを特徴とする請求項１または請求項２のいずれかに記載のランプソケット。
【請求項４】
前記第二識別部は、前記ランプピンが前記正常装着位置のとき、前記本体の内側に配設されることを特徴とする請求項３に記載のランプソケット。
【請求項５】
前記識別部は、色、模様、凹凸形状、文字、マーク、記号、またはこれらのうちの２以上の組み合わせにより、識別可能に構成されることを特徴とする請求項１から請求項４のいずれか一項に記載のランプソケット。
【請求項６】
請求項１から請求項５のいずれか一項に記載のランプソケットを備えることを特徴とする照明器具。
【請求項７】
前記直管形ランプを備え、
前記直管形ランプは、前記ランプピンが前記正常装着位置のときに前記識別部と並列するランプ側識別部を有することを特徴とする請求項６に記載の照明器具。
【発明の詳細な説明】
【技術分野】
【０００１】
本発明は、ランプソケット及び照明器具に関する。
【背景技術】
【０００２】
直管形ランプを回転させて装着するように構成されたランプソケットの場合、作業者は、直管形ランプの装着時に、直管形ランプの回転位置を正常な位置に合わせる必要がある。
【０００３】
近年、直管形蛍光灯ランプの代替として、直管形ＬＥＤランプが市販されている。直管形ＬＥＤランプは、放熱のため、金属製のヒートシンクを発光面の裏側に備えることが多い。その場合、ヒートシンクの重量が大きいので、ランプの重心が中心から偏心する。上記のようなランプソケットを備えた照明器具に直管形ＬＥＤランプを装着した場合において、直管形ＬＥＤランプの回転位置が正常装着位置からずれていると、振動などの外的要因によって、重心が下がる方向に直管形ＬＥＤランプが自重で回転してしまい、不点灯あるいは脱落の原因となる可能性がある。
【０００４】
下記特許文献１には、直管形ＬＥＤランプの口金に鉤孔を有する掛止部を設け、ランプソケットに鉤状の被掛止部を設け、直管形ＬＥＤランプを回転させて装着する際に、口金に設けられた掛止部にランプソケットの被掛止部を引っ掛けることで、直管形ＬＥＤランプの脱落を防止する技術が開示されている。
【先行技術文献】
【特許文献】
【０００５】
【特許文献１】特開２０１２−９３７９号公報
【発明の概要】
【発明が解決しようとする課題】
【０００６】
特許文献１の技術では、専用の口金を有するランプと、それに対応する専用のランプソケットとを使用する必要があり、汎用性が無い。また、口金及びランプソケットが特殊な形状を必要とし、製品コストが高い。また、口金から突出した細い掛止部が破損し易い。掛止部が破損すると、脱落防止の効果が無くなる。
【０００７】
本発明は、上述のような課題を解決するためになされたもので、直管形ランプを正常な位置に容易に装着することのできるランプソケット及び照明器具を提供することを目的とする。
【課題を解決するための手段】
【０００８】
本発明に係るランプソケットは、直管形ランプのランプピンが、着脱可能な着脱位置から直管形ランプを回転させることで、正常装着位置に装着されるランプソケットであって、直管形ランプの着脱時に直管形ランプのランプピンが通るピン入口部を有する本体と、ランプピンが正常装着位置のときにピン入口部に配置される識別部を有し、直管形ランプと共に回転するように本体に保持される回転子と、を備えることを特徴とするものである。
【発明の効果】
【０００９】
本発明によれば、ランプソケットの回転子に、正常装着位置のときにピン入口部に配置される識別部を設けたことで、直管形ランプを正常な位置に容易に装着することが可能となる。
【図面の簡単な説明】
【００１０】
【図１】本発明の実施の形態１のランプソケットを備えた照明器具を示す斜視図である。
【図２】直管形ＬＥＤランプの第一口金を示す斜視図である。
【図３】直管形ＬＥＤランプの第二口金を示す斜視図である。
【図４】本発明の実施の形態１の第一ソケットを斜め前から見た斜視図である。
【図５】本発明の実施の形態１の第一ソケットの分解斜視図である。
【図６】本発明の実施の形態１の第一ソケットが備える回転子を拡大した斜視図である。
【図７】本発明の実施の形態１の第一ソケット及び直管形ＬＥＤランプをピン入口部の方向から見た平面図である。
【図８】本発明の実施の形態１の第一ソケット及び直管形ＬＥＤランプをピン入口部の方向から見た平面図である。
【図９】本発明の実施の形態２の照明器具が備えるランプソケット及び直管形ＬＥＤランプを模式的に示す斜視図である。
【図１０】本発明の実施の形態２の照明器具が備えるランプソケット及び直管形ＬＥＤランプを模式的に示す斜視図である。
【図１１】本発明の実施の形態２の照明器具が備えるランプソケット及び直管形ＬＥＤランプを模式的に示す斜視図である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１のランプソケットを備えた照明器具を示す斜視図である。図１に示すように、本実施の形態１の照明器具１０は、器具本体１１と、反射板１２とを備える。器具本体１１の長手方向の一端側に第一ソケット１（給電側ソケット）が備えられる。図１では、第一ソケット１は、器具本体１１に隠れ、見えていない。器具本体１１の長手方向の他端側に第二ソケット２（接地側ソケット）が備えられる。第一ソケット１と第二ソケット２との間に、直管形ＬＥＤランプ２０を装着することができる。器具本体１１には、第一ソケット１を介して直管形ＬＥＤランプ２０に給電することで直管形ＬＥＤランプ２０を点灯させる装置（図示省略）が備えられる。反射板１２は、直管形ＬＥＤランプ２０から発せられる光を配光する機能を有する。本実施の形態１の照明器具１０は、第一ソケット１及び第二ソケット２を２組備え、２本の直管形ＬＥＤランプ２０を装着することができる。なお、本発明において、照明器具に装着可能な直管形ランプの本数は２本に限定されず、１本でも３本以上でも良い。
【００１３】
図２は、直管形ＬＥＤランプ２０の第一口金２１を示す斜視図である。図３は、直管形ＬＥＤランプ２０の第二口金２２を示す斜視図である。この直管形ＬＥＤランプ２０は、第一口金２１、第二口金２２、及び外郭２３を備える。細長い円筒状の外郭２３の一端に図２に示す第一口金２１が設けられ、外郭２３の他端に図３に示す第二口金２２が設けられる。図２に示すように、第一口金２１の端面には、当該端面の中央を通って横断する凸部２１ａが形成されている。凸部２１ａから、一対のＬ型のランプピン２１ｂ（給電側ランプピン）が突出する。図３に示すように、第二口金２２の端面の中央から、１本のＴ型のランプピン２２ａ（接地側ランプピン）が突出する。外郭２３の内部には、ＬＥＤモジュール（図示省略）と、ヒートシンク（図示省略）とが備えられる。ヒートシンクは、例えば長尺直線状のアルミニウム製である。ヒートシンクは、ＬＥＤから生じた熱を放熱する効果を有する。本実施の形態１では、第一口金２１が第一ソケット１に装着され、第二口金２２が第二ソケット２に装着される。
【００１４】
照明器具１０が備える第一ソケット１及び第二ソケット２のうち、第一ソケット１が本実施の形態１のランプソケットに相当する。以下、第一ソケット１の構成について詳細に説明する。以下の説明では、第一ソケット１の、直管形ＬＥＤランプ２０と対向する側を前とし、その反対側を後ろとする。図４は、本実施の形態１の第一ソケット１を斜め前から見た斜視図である。図５は、本実施の形態１の第一ソケット１の分解斜視図である。図５に示すように、本実施の形態１の第一ソケット１は、前面側に位置する筐体３と、後面側に位置するカバー４と、回転子５と、一対の通電金具６とを有する。筐体３は、後面側に開口を有する。カバー４は、筐体３の後面側の開口を塞ぐ。筐体３及びカバー４により、第一ソケット１の本体となる部分が形成される。回転子５及び通電金具６は、筐体３及びカバー４で形成される本体に収納される。
【００１５】
筐体３は、前面側に円形開口部３ａを有する。装着される直管形ＬＥＤランプ２０の中心軸は、円形開口部３ａと同心的に位置する。筐体３は、直管形ＬＥＤランプ２０の着脱時に直管形ＬＥＤランプ２０の第一口金２１のランプピン２１ｂが通るピン入口部３ｂを有する。ピン入口部３ｂは、筐体３の一部を切り欠いた形状を有する。直管形ＬＥＤランプ２０を第一ソケット１に着脱するとき、ランプピン２１ｂは、ピン入口部３ｂを通って、筐体３の外部と、円形開口部３ａの内側とを行き来する。
【００１６】
回転子５は、筐体３及びカバー４に対し回転可能に保持される。回転子５の回転中心は、円形開口部３ａの中心に一致する。回転子５は、直管形ＬＥＤランプ２０と共に回転する。図５に示すように、回転子５は、略円筒形状の円筒部５ａと、略円板形状の受け部５ｂとを有する。受け部５ｂは、円筒部５ａの前端側に設けられている。受け部５ｂの外径は、円筒部５ａの外径より大きい。受け部５ｂは、円筒部５ａからフランジ状に外周側に突出する。受け部５ｂの一部は、円形開口部３ａの内側に収納される。受け部５ｂの前面は、直管形ＬＥＤランプ２０の第一口金２１の端面に接触する。受け部５ｂの前面には、一対の凸条５ｃが形成されている。一対の凸条５ｃの間に第一口金２１の凸部２１ａが嵌合することで、回転子５が直管形ＬＥＤランプ２０と一体となって回転する。回転子５には、直管形ＬＥＤランプ２０の第一口金２１のランプピン２１ｂが挿入可能なピン挿入部５ｄが形成されている。ピン挿入部５ｄは、回転子５の回転中心を通って回転子５を二分するように形成されている。ピン挿入部５ｄは、円筒部５ａの後端部を残して、円筒部５ａ及び受け部５ｂを切り欠くように形成されている。
【００１７】
カバー４は、回転子５の回転を案内するガイド部４ａを有する。ガイド部４ａは、カバー４の内壁から、円筒状に突出している。回転子５の円筒部５ａの後端の内側にガイド部４ａが挿入する。
【００１８】
図４は、直管形ＬＥＤランプ２０が第一ソケット１から着脱可能な着脱位置の状態を示す。着脱位置では、回転子５のピン挿入部５ｄと、筐体３のピン入口部３ｂとが一直線上に位置する。着脱位置では、直管形ＬＥＤランプ２０の第一口金２１のランプピン２１ｂを、筐体３の外から、ピン入口部３ｂを通して、回転子５のピン挿入部５ｄに挿入できる。また、着脱位置では、回転子５のピン挿入部５ｄに挿入された直管形ＬＥＤランプ２０の第一口金２１のランプピン２１ｂがピン入口部３ｂを通って筐体３の外へ脱出できる。
【００１９】
図４の着脱位置から、直管形ＬＥＤランプ２０及び回転子５が所定角度（本実施の形態１では約９０°）回転することで、直管形ＬＥＤランプ２０が正常に装着される正常装着位置になる。正常装着位置では、筐体３のピン入口部３ｂが回転子５の円筒部５ａによって塞がれ、第一口金２１のランプピン２１ｂが回転子５のピン挿入部５ｄに保持されることで、直管形ＬＥＤランプ２０が第一ソケット１から脱出できない状態になる。このため、正常装着位置では、直管形ＬＥＤランプ２０の脱落が確実に防止される。
【００２０】
図５に示すように、通電金具６は、直管形ＬＥＤランプ２０の第一口金２１のランプピン２１ｂを受けるピン受け部６ａを有する。照明器具１０が備える点灯装置から配線された電線（図示省略）は、通電金具６に接続される。着脱位置においては、通電金具６のピン受け部６ａは、回転子５の円筒部５ａの外周面の側方に位置する。直管形ＬＥＤランプ２０が正常装着位置になった状態では、第一口金２１のランプピン２１ｂがピン受け部６ａに接触することで、照明器具１０が備える点灯装置から、電線、通電金具６及びランプピン２１ｂを介して、直管形ＬＥＤランプ２０に給電可能になる。本実施の形態１の第一ソケット１では、回転子５を設けたことで、人の手が通電金具６に触れることが困難となるので、高い安全性が得られる。
【００２１】
図６は、本実施の形態１の第一ソケット１が備える回転子５を拡大した斜視図である。図６に示すように、回転子５は、識別部５ｅ及び第二識別部５ｆを有する。識別部５ｅは、円筒部５ａの外周面の周方向において局所的に設けられている。各図では、便宜上、識別部５ｅの領域をハッチング（斜線）で表す。識別部５ｅは、回転子５の回転方向に関して、ピン挿入部５ｄに対し、上記所定角度（本実施の形態１では約９０°）だけ異なる位置に設けられている。第二識別部５ｆは、円筒部５ａの外周面において、識別部５ｅに隣接して設けられている。第二識別部５ｆは、識別部５ｅの両側に設けられても良い。第二識別部５ｆは、ピン挿入部５ｄと識別部５ｅとの間にある。なお、本実施の形態１では、識別部５ｅと第二識別部５ｆとは、色が異なる。識別部５ｅの色は、回転子５の他の部分の色と異なることが望ましい。また、第二識別部５ｆの色は、回転子５の他の部分の色と同じでも良いし、異なっても良い。また、識別部５ｅの幅（図６中のＷ）は、ピン入口部３ｂの幅とほぼ同じか、ピン入口部３ｂの幅より僅かに大きいことが望ましい。
【００２２】
図４に示すように、着脱位置のとき、回転子５の識別部５ｅは、筐体３の内側に配設される。すなわち、着脱位置のとき、回転子５の識別部５ｅは、ピン入口部３ｂから視認できない位置に隠れる。着脱位置のとき、回転子５の識別部５ｅは、筐体３に隠れることで、第一ソケット１の外部から視認できない。なお、第一ソケット１では、図４の着脱位置から直管形ＬＥＤランプ２０及び回転子５を、一の方向へ回転させた位置と、その反対方向へ回転させた位置との双方に正常装着位置があっても良い。その場合には、二つの正常装着位置に対応する二つの識別部５ｅを回転子５に設けることが望ましい。
【００２３】
図７及び図８は、本実施の形態１の第一ソケット１及び直管形ＬＥＤランプ２０をピン入口部３ｂの方向から見た平面図である。図７は、正常装着位置を示す。図８は、着脱位置と正常装着位置との間の位置であって、正常装着位置に近い位置を示す。図７に示すように、正常装着位置のとき、識別部５ｅは、ピン入口部３ｂに配置される。すなわち、正常装着位置のとき、識別部５ｅは、ピン入口部３ｂから視認可能な位置に現れる。直管形ＬＥＤランプ２０を装着する作業者は、ピン入口部３ｂに識別部５ｅが現れることを視認することで、正常装着位置を容易かつ確実に認識できる。このため、直管形ＬＥＤランプ２０を正常な回転位置に容易に装着できる。正常な回転位置に装着された直管形ＬＥＤランプ２０は、振動などによって自然に回転することがないので、不点灯及び脱落の発生を確実に抑制できる。直管形ＬＥＤランプ２０の脱落を防止する掛止部のような複雑な構造、専用の口金などを必要とすることなく、直管形ＬＥＤランプ２０の不点灯及び脱落の発生を確実に抑制でき、コストを低減できる。
【００２４】
識別部５ｅの色は、筐体３の色と異なることが望ましい。識別部５ｅを筐体３と異なる色にすることで、ピン入口部３ｂに現れる識別部５ｅをより分かり易く判別できる。
【００２５】
図８に示すように、着脱位置と正常装着位置との間の位置のときには、第二識別部５ｆがピン入口部３ｂに配置される。すなわち、着脱位置と正常装着位置との間の位置のときには、第二識別部５ｆがピン入口部３ｂから視認可能な位置に現れる。作業者は、着脱位置から直管形ＬＥＤランプ２０を回転させ始めると、ピン入口部３ｂに第二識別部５ｆが現れることを視認できる。これにより、作業者は、回転子５が直管形ＬＥＤランプ２０と一体に正常に回転していることを確認することができる。第二識別部５ｆの色は、筐体３と同じ色でも良いし、異なる色でも良い。第二識別部５ｆを筐体３と異なる色にした場合には、ピン入口部３ｂに現れる第二識別部５ｆをより分かり易く判別できる。
【００２６】
着脱位置と正常装着位置との間の位置であって、正常装着位置から遠い位置のとき（図示省略）には、識別部５ｅはピン入口部３ｂに配置されず、第二識別部５ｆのみがピン入口部３ｂに配置される。すなわち、着脱位置と正常装着位置との間の位置であって、正常装着位置から遠い位置のときには、ピン入口部３ｂから識別部５ｅは視認できず、第二識別部５ｆのみがピン入口部３ｂから視認できる。これに対し、着脱位置と正常装着位置との間の位置であって、正常装着位置に近い位置のときには、図８に示すように、識別部５ｅと第二識別部５ｆとの双方（識別部５ｅと第二識別部５ｆとの境）がピン入口部３ｂに配置される。すなわち、着脱位置と正常装着位置との間の位置であって、正常装着位置に近い位置のときには、図８に示すように、識別部５ｅと第二識別部５ｆとの双方（識別部５ｅと第二識別部５ｆとの境）がピン入口部３ｂから視認できる。これにより、作業者は、正常装着位置が近いことを確認できる。作業者は、識別部５ｅと第二識別部５ｆとの双方（識別部５ｅと第二識別部５ｆとの境）がピン入口部３ｂから視認できたときに、直管形ＬＥＤランプ２０を回転させる速度を緩めることで、正常装着位置を通り過ぎないように容易に調節できる。
【００２７】
図７に示すように、正常装着位置では、第二識別部５ｆは、筐体３の内側に配設され、識別部５ｅのみがピン入口部３ｂに配置される。すなわち、正常装着位置では、第二識別部５ｆはピン入口部３ｂから視認できない位置に隠れ、識別部５ｅのみがピン入口部３ｂから視認できる。作業者は、識別部５ｅのみがピン入口部３ｂから視認できることを確認することで、正常装着位置に正確に合わせることができる。
【００２８】
以上のように、着脱位置のとき及び正常装着位置から遠い位置のときには、識別部５ｅの全体が、筐体３の内側に配設され、ピン入口部３ｂから視認できない位置に隠れる。正常装着位置に近い位置のとき（図８）には、識別部５ｅの一部が、筐体３の内側に配設され、ピン入口部３ｂから視認できない位置に隠れる。すなわち、識別部５ｅは、正常装着位置以外の位置のとき、その少なくとも一部が筐体３の内側に配設される。このように構成することで、作業者は、正常装着位置を容易かつ確実に確認できる。
【００２９】
本実施の形態１では、直管形ＬＥＤランプ２０を着脱位置から正常装着位置へ向かって回転させたとき、ピン入口部３ｂから見えるものが、第二識別部５ｆのみが見える初期状態、第二識別部５ｆと識別部５ｅとの双方が見える中間状態、識別部５ｅのみが見える終了状態、の順に変化する。例えば、第二識別部５ｆの色と識別部５ｅの色とを異なる色にした場合には、初期状態→中間状態→終了状態の遷移を作業者が色の変化として視覚的に容易に認識することができる。作業者は、着脱位置から直管形ＬＥＤランプ２０を回転させた後、図８のように第二識別部５ｆと識別部５ｅとの双方がピン入口部３ｂから見えた場合（例えば２色の色がピン入口部３ｂから見えた場合）には、正常装着位置に正確に合っていないことを容易に認識できる。その後、作業者は、正常装着位置になるように、直管形ＬＥＤランプ２０の回転位置を容易に再調整できる。
【００３０】
識別部５ｅは、色で識別可能にする構成に限定されるものではなく、例えば、模様、凹凸形状、文字、マーク、記号などによって視覚的に識別可能に構成してもよい。第二識別部５ｆについても、色で識別可能にする構成に限定されるものではなく、例えば、模様、凹凸形状、文字、マーク、記号などによって視覚的に識別可能に構成してもよい。また、色、模様、凹凸形状、文字、マーク、記号のうちの２以上を組み合わせることで、識別部５ｅ、第二識別部５ｆを識別可能に構成してもよい。
【００３１】
例えば、識別部５ｅとしてストライプ模様を付し、第二識別部５ｆを無地としても良い。または、識別部５ｅとして「○」のマークを付し、第二識別部５ｆとして「×」のマークを付しても良い。これらの場合、識別部５ｅの一部と、第二識別部５ｆの一部とが同じ色であってもよい。
【００３２】
実施の形態２．
次に、図９から図１１を参照して、本発明の実施の形態２について説明するが、上述した実施の形態１との相違点を中心に説明し、同一部分または相当部分は同一符号を付し説明を省略する。図９から図１１は、本発明の実施の形態２の照明器具が備えるランプソケット及び直管形ＬＥＤランプを模式的に示す斜視図である。図９から図１１に示す第一ソケット１の構成は、実施の形態１と同様である。図９は、着脱位置の第一ソケット１のピン挿入部５ｄに、直管形ＬＥＤランプ２０の第一口金２１のランプピン２１ｂを挿入する前の状態を示す。図１０は、着脱位置の第一ソケット１のピン挿入部５ｄに、直管形ＬＥＤランプ２０の第一口金２１のランプピン２１ｂを挿入した後の状態を示す。図１１は、図１０に示す状態から直管形ＬＥＤランプ２０を回転させて正常装着位置にした状態を示す。
【００３３】
本実施の形態２の直管形ＬＥＤランプ２０の第一口金２１は、ランプ側識別部２１ｃを有する。ランプ側識別部２１ｃは、第一口金２１の外周面の周方向において局所的に設けられている。各図では、便宜上、ランプ側識別部２１ｃの領域をハッチング（斜線）で表す。ランプ側識別部２１ｃは、例えば、色、模様、凹凸形状、文字、マーク、記号、または、これらのうちの２以上の組み合わせにより、視覚的に識別可能に構成される。
【００３４】
図１０に示すように、着脱位置の第一ソケット１のピン挿入部５ｄに直管形ＬＥＤランプ２０の第一口金２１のランプピン２１ｂを挿入した状態では、ランプ側識別部２１ｃは、直管形ＬＥＤランプ２０及び回転子５の回転方向に関して、ピン入口部３ｂに対し、所定角度（本実施の形態２では約９０°）だけ異なる位置にある。図１０の状態から直管形ＬＥＤランプ２０が回転して正常装着位置になると、図１１に示すように、ピン入口部３ｂに回転子５の識別部５ｅが現れるとともに、ランプ側識別部２１ｃの位置が、直管形ＬＥＤランプ２０及び回転子５の回転方向に関して、ピン入口部３ｂの位置に一致する。正常装着位置のとき、作業者は、ランプ側識別部２１ｃと、回転子５の識別部５ｅとが並んでいることを視認できる。
【００３５】
このように、本実施の形態２では、正常装着位置のときに回転子５の識別部５ｅと並列するランプ側識別部２１ｃを直管形ＬＥＤランプ２０に設けたことで、作業者が正常装着位置をより分かり易く判別できる。このため、直管形ＬＥＤランプ２０をさらに容易に正常な位置に装着できるので、直管形ＬＥＤランプ２０の不点灯あるいは脱落の発生をより確実に抑制できる。
【００３６】
ランプ側識別部２１ｃは、回転子５の識別部５ｅを構成する色、模様、凹凸形状、文字、マークまたは記号と共通または類似する色、模様、凹凸形状、文字、マークまたは記号を有することが望ましい。これにより、正常装着位置で回転子５の識別部５ｅとランプ側識別部２１ｃとが並んだとき、作業者がより確実かつ容易に識別できる。直管形ＬＥＤランプ２０が周方向の半周側のみ光を照射するものである場合、その照射方向の側にランプ側識別部２１ｃを設けることが望ましい。
【００３７】
以上説明した実施の形態１及び２では、直管形ランプの両端の口金のうちの一方のみが本発明のランプソケット（第一ソケット１）に装着される構成について説明したが、直管形ランプの口金の構成によっては、両方の口金がそれぞれ本発明のランプソケットに装着される構成としても良い。また、本発明における直管形ランプは、ＬＥＤを光源とする直管形ランプに限定されるものではなく、有機ＥＬを光源とする直管形ランプ、蛍光灯などであってもよい。
【符号の説明】
【００３８】
１  第一ソケット、２  第二ソケット、３  筐体、３ａ  円形開口部、３ｂ  ピン入口部、４  カバー、４ａ  ガイド部、５  回転子、５ａ  円筒部、５ｂ  受け部、５ｃ  凸条、５ｄ  ピン挿入部、５ｅ  識別部、５ｆ  第二識別部、６  通電金具、６ａ  ピン受け部、１０  照明器具、１１  器具本体、１２  反射板、２０  直管形ＬＥＤランプ、２１  第一口金、２１ａ  凸部、２１ｂ  ランプピン、２１ｃ  ランプ側識別部、２２  第二口金、２２ａ  ランプピン、２３  外郭
【図１】
2016143588.tif 000003
【図２】
2016143588.tif 000004
【図３】
2016143588.tif 000005
【図４】
2016143588.tif 000006
【図５】
2016143588.tif 000007
【図６】
2016143588.tif 000008
【図７】
2016143588.tif 000009
【図８】
2016143588.tif 000010
【図９】
2016143588.tif 000011
【図１０】
2016143588.tif 000012
【図１１】
2016143588.tif 000013